【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
（ａ）動物の体液中に存在し、かつリン酸化タウ以外の翻訳後修飾タンパク質の量を測定する工程、および
（ｂ）炎症が存在するかどうかを判定するために、該翻訳後修飾タンパク質の量が正常動物からの同一体液中でのレベルと比較して有意に変化しているかどうかを判定する工程を含む動物における炎症を診断またはモニタする方法。
【請求項２】
前記翻訳後修飾タンパク質が一般的炎症の翻訳後修飾タンパク質マーカである請求項１に記載の方法。
【請求項３】
前記翻訳後修飾タンパク質がアルブミンである請求項２に記載の方法。
【請求項４】
前記動物の体液中に存在し、かつリン酸化タウ以外の翻訳後修飾された指標タンパク質の量を測定する工程をさらに含む請求項２または３に記載の方法。
【請求項５】
前記翻訳後修飾タンパク質が翻訳後修飾された指標タンパク質である請求項１に記載の方法。
【請求項６】
前記翻訳後修飾タンパク質が翻訳後修飾された器官特異的または組織特異的タンパク質である請求項１に記載の方法。
【請求項７】
前記翻訳後修飾タンパク質が翻訳後修飾された疾患特異的タンパク質である請求項１に記載の方法。
【請求項８】
前記体液が血清または血漿である請求項１から７のいずれか一項に記載の方法。
【請求項９】
前記タンパク質がリン酸化されている請求項１から８のいずれか一項に記載の方法。
【請求項１０】
前記タンパク質がシステイン化されている請求項１から８のいずれか一項に記載の方法。
【請求項１１】
１つまたは複数の体液における２つ以上の翻訳後修飾タンパク質の量が測定される請求項１から１０のいずれか一項に記載の方法。
【請求項１２】
前記方法が敗血症に関連した炎症の診断またはモニタに用いられる請求項１に記載の方法。
【請求項１３】
前記方法が呼吸器疾患に関連した炎症の診断またはモニタに用いられる請求項１に記載の方法。
【請求項１４】
前記方法が、成人呼吸窮迫症候群または慢性閉塞性肺疾患に関連した炎症の診断またはモニタに用いられる請求項１３に記載の方法。
【請求項１５】
前記翻訳後修飾タンパク質の量が結合パートナー分析で測定される請求項１から１４のいずれか一項に記載の方法。
【請求項１６】
前記結合パートナー分析が免疫学的検定である請求項１５に記載の方法。
【請求項１７】
請求項１から１６のいずれか一項に記載の方法で、１つまたは複数の翻訳後修飾タンパク質の量を測定する工程、
１つまたは複数の追加診断パラメータを取得する工程、および
該１つまたは複数の翻訳後修飾タンパク質の量と、該追加診断パラメータとを用いて疾患を診断またはモニタする工程を含む疾患を診断またはモニタする方法。
【請求項１８】
（ａ）動物の体液中に存在し、かつリン酸化タウ以外の翻訳後修飾された器官特異的または組織特異的タンパク質の量を、測定を行う前に該タンパク質を変性させずに測定する工程、および
（ｂ）器官または組織に虚血が存在するかどうかを判定するために、該翻訳後修飾タンパク質の量が正常動物からの同一体液中におけるレベルと比較して有意に変化しているかどうかを判定する工程を含む動物の器官または組織における虚血を診断またはモニタする方法。
【請求項１９】
動物の体液中に存在する翻訳後修飾された心臓特異的タンパク質の量を測定することにより心虚血が診断またはモニタされる請求項１８に記載の方法。
【請求項２０】
前記タンパク質が翻訳後修飾された心臓トロポニンＩである請求項１９に記載の方法。
【請求項２１】
前記タンパク質が翻訳後修飾された心臓トロポニンＴである請求項１９に記載の方法。
【請求項２２】
前記方法の工程が、心虚血を示す症状の発現後における最初の２４時間以内に実施される請求項１９から２１のいずれか一項に記載の方法。
【請求項２３】
請求項１９から２１のいずれか一項の方法の工程が、心虚血を示す症状の発現後における最初の１２時間以内に実施される請求項２２に記載の方法。
【請求項２４】
前記動物の体液中に存在する虚血の一般的なタンパク質マーカである翻訳後修飾タンパク質の量を測定する工程をさらに含む請求項１８から２３のいずれか一項に記載の方法。
【請求項２５】
前記タンパク質がアルブミンである請求項２４に記載の方法。
【請求項２６】
前記体液が血清または血漿である請求項１８から２５のいずれか一項に記載の方法。
【請求項２７】
前記タンパク質がリン酸化されている請求項１８から２６のいずれか一項に記載の方法。
【請求項２８】
前記タンパク質がシステイン化されている請求項１８から２６のいずれか一項に記載の方法。
【請求項２９】
１つまたは複数の体液における２つ以上の翻訳後修飾タンパク質の量が測定される請求項１８から２８のいずれか一項に記載の方法。
【請求項３０】
前記翻訳後修飾タンパク質の量が結合パートナー分析で測定される請求項１８から２９のいずれか一項に記載の方法。
【請求項３１】
前記結合パートナー分析が免疫学的検定である請求項３０に記載の方法。
【請求項３２】
虚血の１つまたは複数の追加診断パラメータを取得する工程、および
１つまたは複数の前記翻訳後修飾タンパク質の量と、該追加診断パラメータとを用いて虚血を診断またはモニタする工程をさらに含む請求項１８から３１のいずれか一項に記載の方法。
【請求項３３】
（ａ）動物の体液中に存在する翻訳後修飾された妊娠関連タンパク質の量を測定する工程、および
（ｂ）虚血が存在するかどうかを判定するために、該翻訳後修飾タンパク質の量が妊娠中の正常動物からの同一体液中におけるレベルと比較して有意に変化しているかどうかを判定する工程を含む妊娠中の動物における胎盤虚血を診断またはモニタする方法。
【請求項３４】
前記翻訳後修飾タンパク質が、β−ヒト絨毛性ゴナドトロピン、α−フェトプロテイン、妊娠関連タンパク質１Ａ、エリスロポイエチン、アンギオテンシン、またはこれらの組合せである請求項３３に記載の方法。
【請求項３５】
体液中に存在する虚血の一般的なマーカである翻訳後修飾タンパク質の量を測定する工程をさらに含む請求項３３または３４に記載の方法。
【請求項３６】
前記タンパク質がアルブミンである請求項３５に記載の方法。
【請求項３７】
前記体液が母親の血清または血漿である請求項３３から３６のいずれか一項に記載の方法。
【請求項３８】
前記タンパク質がリン酸化されている請求項３３から３７のいずれか一項に記載の方法。
【請求項３９】
前記タンパク質がシステイン化されている請求項３３から３７のいずれか一項に記載の方法。
【請求項４０】
１つまたは複数の体液における２つ以上の翻訳後修飾タンパク質の量が測定される請求項３３から３９のいずれか一項に記載の方法。
【請求項４１】
前記翻訳後修飾タンパク質の量が結合パートナー分析で測定される請求項３３から４０のいずれか一項に記載の方法。
【請求項４２】
前記結合パートナー分析が免疫学的検定である請求項４１に記載の方法。
【請求項４３】
胎盤虚血の１つまたは複数の追加診断パラメータを取得する工程、および
１つまたは複数の前記翻訳後修飾タンパク質の量と、該追加診断パラメータとを用いて虚血を診断またはモニタする工程をさらに含む請求項３３から４２のいずれか一項に記載の方法。
【請求項４４】
（ａ）リン酸化タンパク質成分の体液中に存在する量を測定する工程、および
（ｂ）虚血が存在するかどうかを判定するために、該リン酸化タンパク質の量が正常動物からの同一体液中におけるレベルと比較して有意に変化しているかどうかを判定する工程を含む動物における虚血を診断またはモニタする方法。
【請求項４５】
前記虚血が心虚血である請求項４４に記載の方法。
【請求項４６】
前記体液が血清または血漿である請求項４４または４５に記載の方法。
【請求項４７】
前記リン酸化タンパク質の量が結合パートナー分析で測定される請求項４４から４６のいずれか一項に記載の方法。
【請求項４８】
前記結合パートナー分析が免疫学的検定である請求項４７に記載の方法。
【請求項４９】
虚血の１つまたは複数の追加診断パラメータを取得する工程、および
前記リン酸化タンパク質の量と、該追加診断パラメータとを用いて該虚血を診断またはモニタする工程をさらに含む請求項４４から４８のいずれか一項に記載の方法。
【請求項５０】
ａ）動物の体液中に存在するシステイン化タンパク質の量を測定する工程、および
（ｂ）虚血が存在するかどうかを判定するために、該システイン化タンパク質の量が正常動物からの同一体液中におけるレベルと比較して有意に変化しているかどうかを判定する工程を含む動物における虚血を診断またはモニタする方法。
【請求項５１】
前記虚血が腸虚血である請求項５０に記載の方法。
【請求項５２】
前記虚血が心虚血である請求項５０に記載の方法。
【請求項５３】
前記体液が血清または血漿である請求項５０から５２のいずれか一項に記載の方法。
【請求項５４】
前記システイン化タンパク質がシステイン化アルブミンである請求項５０から５３のいずれか一項に記載の方法。
【請求項５５】
前記システイン化タンパク質の量が結合パートナー分析で測定される請求項５０から５４のいずれか一項に記載の方法。
【請求項５６】
前記結合パートナー分析が免疫学的検定である請求項５５に記載の方法。
【請求項５７】
虚血の１つまたは複数の追加診断パラメータを取得する工程、および
前記システイン化タンパク質の量と、該追加診断パラメータとを用いて該虚血を診断またはモニタする工程をさらに含む請求項５０から５６のいずれか一項に記載の方法。
【請求項５８】
（ａ）妊娠中の動物の体液中に存在するシステイン化タンパク質の量を測定する工程、および
（ｂ）胎盤虚血が存在するかどうかを判定するために、該システイン化タンパク質の量が妊娠中の正常動物からの同一体液中におけるレベルと比較して有意に変化しているかどうかを判定する工程を含む妊娠中の動物における胎盤虚血を診断またはモニタする方法。
【請求項５９】
前記体液が母親の血清または血漿である請求項５８に記載の方法。
【請求項６０】
前記システイン化タンパク質がシステイン化アルブミンである請求項５８または５９に記載の方法。
【請求項６１】
前記システイン化タンパク質の量が結合パートナー分析で測定される請求項５８から６０のいずれか一項に記載の方法。
【請求項６２】
前記結合パートナー分析が免疫学的検定である請求項６１に記載の方法。
【請求項６３】
胎盤虚血の１つまたは複数の追加診断パラメータを取得する工程、および
前記システイン化タンパク質の量と、該追加診断パラメータとを用いて該胎盤虚血を診断またはモニタする工程をさらに含む請求項５８から６２のいずれか一項に記載の方法。
【請求項６４】
（ａ）動物の体液中に存在する翻訳後修飾タンパク質の量を測定する工程、および
（ｂ）多臓器不全が存在するかどうか、または多臓器不全が発症するかどうかを判定するために、該翻訳後修飾タンパク質の量が正常動物からの同一体液中におけるレベルと比較して有意に変化しているかどうかを判定する工程を含む動物における多臓器不全を診断、モニタ、または予測する方法。
【請求項６５】
前記翻訳後修飾タンパク質が翻訳後修飾アルブミンである請求項６４に記載の方法。
【請求項６６】
前記翻訳後修飾タンパク質がシステイン化タンパク質である請求項６４または６５に記載の方法。
【請求項６７】
前記体液が血清または血漿である請求項６４から６６のいずれか一項に記載の方法。
【請求項６８】
前記翻訳後修飾タンパク質の量が結合パートナー分析で測定される請求項６４から６７のいずれか一項に記載の方法。
【請求項６９】
前記結合パートナー分析が免疫学的検定である請求項６８に記載の方法。
【請求項７０】
多臓器不全の１つまたは複数の追加診断パラメータを取得する工程、および
前記翻訳後修飾タンパク質の量と、該追加診断パラメータとを用いて多臓器不全を診断、モニタ、または予測する工程をさらに含む請求項６４から６９のいずれか一項に記載の方法。
【請求項７１】
リン酸化アルブミンに特異的な結合パートナー。
【請求項７２】
システイン化血液タンパク質に特異的な結合パートナー。
【請求項７３】
システイン化アルブミンに特異的な請求項７２に記載の結合パートナー。
【請求項７４】
システイン化された器官特異的または組織特異的タンパク質に特異的な結合パートナー。
【請求項７５】
システイン化された心臓特異的タンパク質に特異的な請求項７４に記載の結合パートナー。
【請求項７６】
システイン化トロポニンＩに特異的な請求項７５に記載の結合パートナー。
【請求項７７】
システイン化トロポニンＴに特異的な請求項７５に記載の結合パートナー。
【請求項７８】
翻訳後修飾された妊娠関連タンパク質に特異的な結合パートナー。
【請求項７９】
システイン化された妊娠関連タンパク質に特異的な請求項７８に記載の結合パートナー。
【請求項８０】
システイン化β−ヒト絨毛性ゴナドトロピン、システイン化α−フェトプロテイン、システイン化された妊娠関連タンパク質１Ａ、システイン化エリスロポイエチン、またはシステイン化アンギオテンシンに特異的な請求項７９に記載の結合パートナー。
【請求項８１】
リン酸化された妊娠関連タンパク質に特異的な請求項８０に記載の結合パートナー。
【請求項８２】
リン酸化β−ヒト絨毛性ゴナドトロピン、リン酸化α−フェトプロテイン、リン酸化された妊娠関連タンパク質１Ａ、リン酸化エリスロポイエチン、またはリン酸化アンギオテンシンに特異的な請求項８１に記載の結合パートナー。
【請求項８３】
抗体である請求項７１から８２に記載の結合パートナー。
【請求項８４】
アプタマーである請求項７１から８２に記載の結合パートナー。
【請求項８５】
リン酸化タウ以外の翻訳後修飾タンパク質に特異的な結合パートナーを保持する容器、および
炎症を診断またはモニタするために、動物の体液中に存在する該翻訳後修飾タンパク質の量を測定するべく該結合パートナーが使用されることを指示する取扱説明書を含むキット。
【請求項８６】
前記結合パートナーが、一般的炎症を診断またはモニタするために使用され得る翻訳後修飾タンパク質に特異的である請求項８５に記載のキット
【請求項８７】
前記結合パートナーが、翻訳後修飾された指標タンパク質に特異的である請求項８５に記載のキット。
【請求項８８】
前記結合パートナーが、翻訳後修飾された器官特異的または組織特異的タンパク質に特異的である請求項８７に記載のキット。
【請求項８９】
前記結合パートナーが、翻訳後修飾された疾患特異的タンパク質に特異的である請求項８７に記載のキット。
【請求項９０】
前記結合パートナーがリン酸化タンパク質に特異的である請求項８５から８９のいずれか一項に記載のキット。
【請求項９１】
前記結合パートナーがシステイン化タンパク質に特異的である請求項８５から８９のいずれか一項に記載のキット。
【請求項９２】
リン酸化タウ以外の翻訳後修飾された１つまたは複数の追加タンパク質に特異的な１つまたは複数の追加結合パートナーを保持する１個または複数個の追加容器、および
炎症を診断またはモニタするために、動物の１つまたは複数の体液中に存在する翻訳後修飾された１つまたは複数の該追加タンパク質の量を測定するべく該追加結合パートナーが使用されることを指示する取扱説明書をさらに含む請求項８５から９１のいずれか一項に記載のキット。
【請求項９３】
前記複数の結合パートナーの少なくとも１つが抗体である請求項８５から９２のいずれか一項に記載のキット。
【請求項９４】
リン酸化タウ以外の翻訳後修飾された器官特異的または組織特異的タンパク質に特異的な結合パートナーを保持する容器、および
器官または組織の虚血を診断またはモニタするために、測定前に該タンパク質を変性させない方法で、動物の体液中に存在する該翻訳後修飾タンパク質の量を測定するべく該結合パートナーが使用されることを指示する取扱説明書を含むキット。
【請求項９５】
前記結合パートナーが翻訳後修飾された心臓特異的タンパク質に特異的である請求項９４に記載のキット。
【請求項９６】
前記結合パートナーが翻訳後修飾されたトロポニンＩに特異的である請求項９５に記載のキット。
【請求項９７】
前記結合パートナーが翻訳後修飾されたトロポニンＴに特異的である請求項９５に記載のキット。
【請求項９８】
前記結合パートナーがリン酸化タンパク質に特異的である請求項９４から９７のいずれか一項に記載のキット、
【請求項９９】
前記結合パートナーがシステイン化タンパク質に特異的である請求項９４から９７のいずれか一項に記載のキット。
【請求項１００】
翻訳後修飾された１つまたは複数の追加タンパク質に特異的な１つまたは複数の追加結合パートナーを保持する１個または複数個の追加容器、および
器官または組織の虚血を診断またはモニタするために、測定前に該タンパク質が変性されない方法で、動物の体液中に存在する翻訳後修飾された１つまたは複数の該追加タンパク質の量を測定するべく該追加結合パートナーが使用されることを指示する取扱説明書をさらに含む請求項９４から９９のいずれか一項に記載のキット。
【請求項１０１】
前記複数の結合パートナーの少なくとも１つが抗体である請求項９４から１００のいずれか一項に記載のキット。
【請求項１０２】
翻訳後修飾された妊娠関連タンパク質に特異的な結合パートナーを保持する容器、および
胎盤虚血を診断またはモニタするために、妊娠中の動物の体液中に存在する該翻訳後修飾タンパク質の量を測定するべく該結合パートナーが使用されることを指示する取扱説明書を含むキット。
【請求項１０３】
前記結合パートナーは、翻訳後修飾されたβ−ヒト絨毛性ゴナドトロピン、α−フェトプロテイン、妊娠関連タンパク質１Ａ、エリスロポイエチン、アンギオテンシン、またはこれらの組合せに特異的である請求項１０２に記載のキット。
【請求項１０４】
前記結合パートナーがシステイン化タンパク質に特異的である請求項１０２または１０３に記載のキット。
【請求項１０５】
前記結合パートナーがリン酸化タンパク質に特異的である請求項１０２または１０３に記載のキット。
【請求項１０６】
翻訳後修飾された１つまたは複数の追加タンパク質に特異的な１つまたは複数の追加結合パートナーを保持する１個または複数個の追加容器、および
胎盤虚血を診断またはモニタするために、妊娠中の動物の体液中に存在する翻訳後修飾された１つまたは複数の該追加タンパク質の量を測定するべく該追加結合パートナーが使用されることを指示する取扱説明書をさらに含む請求項１０２から１０５のいずれか一項に記載のキット。
【請求項１０７】
前記複数の結合パートナーの少なくとも１つが抗体である請求項１０２から１０６のいずれか一項に記載のキット。
【請求項１０８】
体液のリン酸化タンパク質成分に特異的な結合パートナーを保持する容器、および
虚血を診断またはモニタするために、動物の体液中に存在するリン酸化タンパク質の量を測定するべく該結合パートナーが使用されることを指示する取扱説明書を含むキット。
【請求項１０９】
システイン化タンパク質に特異的な結合パートナーを保持する容器、および
虚血を診断またはモニタするために、動物の体液中に存在する該システイン化タンパク質の量を測定するべく該結合パートナーが使用されることを指示する取扱説明書を含むキット。
【請求項１１０】
前記結合パートナーがシステイン化アルブミンに特異的である請求項１０９に記載のキット。
【請求項１１１】
翻訳後修飾された１つまたは複数の追加タンパク質に特異的な１つまたは複数の追加結合パートナーを保持する１個または複数個の追加容器、および
虚血を診断またはモニタするために、動物の体液中に存在する翻訳後修飾された１つまたは複数の該追加タンパク質の量を測定するべく該追加結合パートナーが使用されることを指示する取扱説明書をさらに含む請求項１０８から１１０のいずれか一項に記載のキット。
【請求項１１２】
前記複数の結合パートナーの少なくとも１つが抗体である請求項１０８から１１１のいずれか一項に記載のキット。
【請求項１１３】
システイン化タンパク質に特異的な結合パートナーを保持する容器、および
胎盤虚血を診断またはモニタするために、妊娠中の動物の体液中に存在する該システイン化タンパク質の量を測定するべく該結合パートナーが使用されることを指示する取扱説明書を含むキット。
【請求項１１４】
前記結合パートナーはシステイン化アルブミンに特異的である請求項１１３に記載のキット。
【請求項１１５】
翻訳後修飾された１つまたは複数の追加タンパク質に特異的な１つまたは複数の追加結合パートナーを保持する１個または複数個の追加容器、および
胎盤虚血を診断またはモニタするために、妊娠中の動物の体液中に存在する翻訳後修飾された１つまたは複数の該追加タンパク質の量を測定するべく該追加結合パートナーが使用されることを指示する取扱説明書をさらに含む請求項１１３または１１４に記載のキット。
【請求項１１６】
前記複数の結合パートナーの少なくとも１つが抗体である請求項１１３から１１５のいずれか一項に記載のキット。
【請求項１１７】
翻訳後修飾タンパク質に特異的な結合パートナーを保持する容器、および
多臓器不全を診断、モニタ、または予測するために、動物の体液中に存在する該翻訳後修飾タンパク質の量を測定するべく該結合パートナーが使用されることを指示する取扱説明書を含むキット。
【請求項１１８】
前記結合パートナーがシステイン化タンパク質に特異的である請求項１１７に記載のキット。
【請求項１１９】
前記結合パートナーがシステイン化アルブミンに特異的である請求項１１８に記載のキット。
【請求項１２０】
翻訳後修飾された１つまたは複数の追加タンパク質に特異的な１つまたは複数の追加結合パートナーを保持する１個または複数個の追加容器、および
多臓器不全を診断、モニタ、または予測するために、動物の体液中に存在する翻訳後修飾された１つまたは複数の該追加タンパク質の量を測定するべく該追加結合パートナーが使用されることを指示する取扱説明書をさらに含む請求項１１７から１１９のいずれか一項に記載のキット。
【請求項１２１】
前記複数の結合パートナーの少なくとも１つが抗体である請求項１１７から１２０のいずれか一項に記載のキット。
【請求項１２２】
リン酸化タウ以外のリン酸化タンパク質に特異的な結合パートナーを保持する容器、および
ホスファターゼ阻害剤、またはホスファターゼ阻害剤の混合物を保持する容器を含むキット。
【請求項１２３】
翻訳後修飾された１つまたは複数の追加タンパク質に特異的な１つまたは複数の追加結合パートナーを保持する１個または複数個の追加容器をさらに含む請求項１２２に記載のキット。
【請求項１２４】
前記結合パートナーの少なくとも１つが抗体である請求項１２２または１２３に記載のキット。
【請求項１２５】
（ａ）動物から第１の体液を取得し、さらに該動物から第２の体液を取得する工程であって、該第１の体液および該第２の体液が同じでもよいし、異なっていてもよい工程、
（ｂ）該動物の該第１の体液中に存在するｏ−ヒドロキシ馬尿酸（ＯＨＨＡ）の量が正常動物からの同じ体液中でのレベルと比較して有意に上昇しているかどうかを判定する工程、
（ｃ）該動物の該第２の体液中に存在する一般的炎症のマーカの量が正常動物からの同じ体液中でのレベルと比較して有意に変化しているかどうかを判定する工程、および
（ｄ）工程（ｂ）および（ｃ）で得られた結果を虫垂炎の存在または不在と相関させる工程を含む動物における虫垂炎を診断する方法。
【請求項１２６】
前記第１の体液が尿である請求項１２５に記載の方法。
【請求項１２７】
工程（ｂ）が、
診断中の動物から得た尿の一部を、ＯＨＨＡと接触した際に発色する発色試薬と混合する工程、
該尿および該発色試薬を、発色させるのに十分な時間インキュベートする工程、および
生じた色を、比色チャート、または既知量のＯＨＨＡを含むスタンダードによって生じた色と比較して、尿中に存在するＯＨＨＡの量が有意に上昇しているかどうかを判定する工程を含む請求項１２６に記載の方法。
【請求項１２８】
前記発色試薬がシリカに結合した第二鉄イオンである請求項１２７に記載の方法。
【請求項１２９】
工程（ｂ）が結合パートナー分析を用いて実施される請求項１２５に記載の方法。
【請求項１３０】
工程（ｃ）が結合パートナー分析を用いて実施される請求項１２５に記載の方法。
【請求項１３１】
前記第２の体液が尿である請求項１２５に記載の方法。
【請求項１３２】
前記一般的炎症のマーカがインターロイキン８である請求項１３１に記載の方法。
【請求項１３３】
前記第２の体液が血清または血漿である請求項１２５に記載の方法。
【請求項１３４】
前記一般的炎症のマーカが白血球数である請求項１３３に記載の方法。
【請求項１３５】
前記一般的炎症のマーカが好中球バンド数である請求項１３３に記載の方法。
【請求項１３６】
前記一般的炎症のマーカが翻訳後修飾タンパク質である請求項１２５または１３３に記載の方法。
【請求項１３７】
前記タンパク質が翻訳後修飾アルブミンである請求項１３６に記載の方法。
【請求項１３８】
前記翻訳後修飾タンパク質がシステイン化タンパク質である請求項１３６または１３７に記載の方法。
【請求項１３９】
動物の体液中に存在するｏ−ヒドロキシ馬尿酸（ＯＨＨＡ）の量が正常動物からの同じ体液中でのレベルと比較して有意に上昇しているかどうかを判定するのに有用な試薬を保持する少なくとも１個の容器を含むパーツ（Ａ）、および
該動物の体液中に存在する一般的炎症のマーカの量が正常動物からの同じ体液中でのレベルと比較して有意に変化しているかどうかを判定するのに有用な試薬を保持する少なくとも１個の容器を含むパーツ（Ｂ）を含む虫垂炎を診断するためのキット。
【請求項１４０】
パーツ（Ａ）が、ＯＨＨＡと接触した際に発色する発色試薬を保持する容器を含む請求項１３９に記載のキット。
【請求項１４１】
前記発色試薬がシリカに結合した第二鉄イオンである請求項１４０に記載のキット。
【請求項１４２】
比色チャートをさらに含む請求項１４０または１４１に記載のキット。
【請求項１４３】
既知量のＯＨＨＡを含むスタンダードを保持する１個または複数個の容器をさらに含む請求項１４０または１４１に記載のキット。
【請求項１４４】
パーツ（Ａ）が、ＯＨＨＡに特異的な結合パートナーを保持する容器を含む請求項１３９に記載のキット。
【請求項１４５】
パーツ（Ｂ）が、翻訳後修飾タンパク質に特異的な結合パートナーを保持する容器を含む請求項１３９に記載のキット。
【請求項１４６】
前記結合パートナーが翻訳後修飾アルブミンに特異的である請求項１４５に記載のキット。
【請求項１４７】
前記結合パートナーがシステイン化タンパク質に特異的である請求項１４５または１４６に記載のキット。
【請求項１４８】
パーツ（Ｂ）がサイトカインに特異的な結合パートナーを保持する容器を含む請求項１３９に記載のキット。
【請求項１４９】
前記サイトカインがインターロイキン８である請求項１４８に記載のキット。
【請求項１５０】
動物の体液中に存在する一般的炎症のマーカの量が正常動物からの同じ体液中でのレベルと比較して有意に変化しているかどうかを判定するのに有用な試薬を保持する少なくとも１個の容器、および
虫垂炎を診断するために該試薬がどのように使用されるかを指示する取扱説明書を含む虫垂炎を診断するためのキット。
【請求項１５１】
前記試薬が一般的炎症のマーカに特異的な結合パートナーである請求項１５０に記載のキット。
【請求項１５２】
翻訳後修飾タンパク質に特異的な結合パートナーを保持する容器を含む請求項１５１に記載のキット。
【請求項１５３】
前記結合パートナーが翻訳後修飾アルブミンに特異的である請求項１５２に記載のキット。
【請求項１５４】
前記結合パートナーがシステイン化タンパク質に特異的である請求項１５２または１５３に記載のキット。
【請求項１５５】
サイトカインに特異的な結合パートナーを保持する容器を含む請求項１５１に記載のキット。
【請求項１５６】
前記サイトカインがインターロイキン８である請求項１５５に記載のキット。